(57)【特許請求の範囲】
【請求項１】
壁パネルに開口部が形成され、この開口部が壁パネルの下端に開口してなる開口壁パネルと、この開口壁パネルの前記開口部に取り付けられたサッシ枠とを備えたサッシ枠組込壁パネルにおいて、
前記開口壁パネルの下端には、該開口壁パネルの下端より下方に突出する開口補強板が前記開口部に亙って設けられており、
前記開口補強板は、前記開口壁パネルの表面とほぼ面一に設けられ、かつ、前記開口壁パネルの厚さの１/４以下であり、前記開口補強板にサッシ枠の下枠が取付けられていることを特徴とするサッシ枠組込壁パネル。
【請求項２】
請求項１記載のサッシ枠組込壁パネルにおいて、
前記開口壁パネルの表面下端部には、前記開口部より外側において、前記開口壁パネルの下端から下方に突出する補強板が設けられていることを特徴とするサッシ枠組込壁パネル。
【請求項３】
請求項２記載のサッシ枠組込壁パネルにおいて、
前記開口補強板は、前記補強板の裏面に取り付けられていることを特徴とするサッシ枠組込壁パネル。
【請求項４】
請求項１〜３のいずれか記載のサッシ枠組込壁パネルを基礎上に設置するサッシ枠組込壁パネルの設置構造であって、
前記基礎の上端面の内側半分には、床部の側端部が設置されており、
前記基礎の上端面の外側半分には、前記サッシ枠組込壁パネルの開口補強板に対応する位置に、半土台が基礎の外側の側面より内側に配置されるようにして設置され、
前記サッシ枠組込壁パネルは、その開口補強板が前記半土台の外側に配置されるようにして、前記床部および半土台上に設置されていることを特徴とするサッシ枠組込壁パネルの設置構造。
【請求項５】
請求項４記載のサッシ枠組込壁パネルの設置構造であって、
前記開口補強板の下端面と、前記基礎の上端面との間には、所定の大きさのクリアランスが設けられていることを特徴とするサッシ枠組込壁パネルの設置構造。
【発明の詳細な説明】
【０００１】
【発明の属する技術分野】
本発明は、開口部と、該開口部の内側に設けられたサッシ枠とを備えたサッシ枠組込壁パネルと、基礎上に載置された床部とが接合されてなるサッシ枠組込壁パネルと床部との接合構造に関するものである。
【０００２】
【背景の技術】
住宅の構築においては、その工業化が進み、例えば、壁や床、屋根といった構成要素を予め工場にてパネル化しておき、施工現場でこれらのパネルを組み立てることにより、住宅を構築するといったパネル工法が一部に採用されている。
近年、パネル工法についての工業化を進めるべく、例えば特開平７−１８９３６７号公報に示すように、工場等で予めサッシ枠が組み込まれたサッシ枠組込壁パネルを形成する技術が知られている。
【０００３】
すなわち、この技術におけるサッシ枠組込壁パネルは、矩形状の袖パネルとこれらの上端側側端面間に配設された矩形状の小壁パネルとからなるコ字状の連結パネルと、この連結パネルの前面側でかつ両袖パネルと小壁パネルとの内側に取り付けられたサッシ枠と、前記両袖パネルの下端面に取り付けられた半土台とから構成されている。そして、前記サッシ枠の下枠が袖パネルの下端面より下側に突出し、かつ前記半土台の上端面に凹部が形成され、前記下枠が半土台の凹部に嵌入されている。すなわち、サッシ枠が半土台上に予め設置されている。
【０００４】
また、小壁パネル、両袖パネル及び半土台とサッシ枠との接合部分には、防水テープが前記接合部分を覆うようにして貼り付けられており、この防水テープの上から、サッシ枠の縦枠の外側に、ケーシングやシャッターケース等の部品が取り付けられている。
そして、このようなサッシ枠組込壁パネルを現場にて基礎及び床パネル上に設置し固定することで、サッシ枠が組み込まれた壁を構築する。
【０００５】
【発明が解決しようとする課題】
ところで、半土台及び床パネルと基礎との接合は、以下のようにして行われる。
すなわち、基礎の上面からアンカーボルトを突設する一方、半土台と床パネルとの接合部分の上端部に凹部を形成し、この凹部の底面から前記接合部分の下端部に連通する貫通穴を形成する。そして、前記アンカーボルトを前記貫通穴に通して、前記凹部の内部に突出したアンカーボルトをナットで締結する。
【０００６】
そして、このような接合構造が、サッシ枠が設けられる開口部を構成する半土台及び床パネルに形成される場合があり、この場合に、前記従来のサッシ枠組込壁パネルを用いてサッシ枠が組み込まれている壁を構築しようとすると、半土台は連結パネルに予め取り付けられているので、前記接合作業は前記サッシ枠組込壁パネルを床パネル及び基礎上に設置した後に行うことになる。しかし、この場合、半土台上に予めサッシ枠が設置されているので、半土台及び床パネル上でアンカーボルトを締結することができない。したがって、半土台及び床パネルと基礎との接合構造が、サッシ枠が設けられる開口部を構成する半土台及び床パネルに形成される場合には、前記サッシ枠組込壁パネルを用いてサッシ枠が組み込まれている壁を構築することができない。
【０００７】
そこで、従来は、矩形状の袖パネルとこれらの上端側側端面間に配設された矩形状の小壁パネルとからなるコ字状の連結パネルと、この連結パネルの前面側でかつ両袖パネルと小壁パネルとの内側に取り付けられたサッシ枠とで構成されるサッシ枠組込壁パネルを用意する一方、開口部を構成する半土台を基礎に設置しておき、半土台及び床パネルと基礎との接合作業を行った後に、前記サッシ枠組込壁パネルを設置し固定するようにしている。ここで、前記サッシ枠の下枠は、前記両袖パネルの下端面より下側に突出しており、この下枠を治具等で補強している。そして、この治具は前記サッシ枠組込壁パネルを床部に設置する際に取り外される。
【０００８】
しかし、この場合、サッシ枠の下枠を半土台に現場で取り付けなければならなかった。また、前記半土台と下枠との接合部分に防水テープを貼り付ける作業も現場で行わなければならないほか、防水テープを貼り付けたあとでなければ、サッシ枠の外側に、サッシ枠の縦枠に沿って、ケーシングやシャッターレール等の長尺な部品を取り付けることができなかったので、現場でのこれらの取付作業に手間がかかり、よってサッシ枠が組み込まれている壁の構築に手間がかかってしまっていた。
【０００９】
本発明は上記事情に鑑みてなされたもので、サッシ枠が組み込まれている壁の構築を容易に行うことができるサッシ枠組込壁パネルと、サッシ枠組込壁パネルの設置構造を提供することを課題としている。
【００１０】
【課題を解決するための手段】
以上の課題を解決すべく請求項１記載のサッシ枠組込壁パネル２は、例えば図１に示すように、壁パネルに開口部３３が形成され、この開口部３３が壁パネルの下端に開口してなる開口壁パネル２ａと、この開口壁パネル２ａの前記開口部３３に取り付けられたサッシ枠６０とを備えたサッシ枠組込壁パネル２において、
前記開口壁パネル２ａの下端には、該開口壁パネル２ａの下端より下方に突出する開口補強板４０が前記開口部３３に亙って設けられており、
前記開口補強板４０は、前記開口壁パネル２ａの表面とほぼ面一に設けられ、かつ、前記開口壁パネル２ａの厚さの１/４以下であり、前記開口補強板４０にサッシ枠６０の下枠６１が取付けられていることを特徴とする。
【００１１】
ここで、壁パネルとしては、框材を矩形枠状に組み付け、その内側に補強桟材を縦、横もしくは縦横に組み付けてなる枠体の表裏両面に合板等の面材を取り付けることで構成されているものが一般的である。
また、壁パネルに開口部を形成する方法としては、壁パネルに直接開口部を形成するか、あるいは複数の壁パネル（袖パネル）１０，２０を離間して配置し、互いに隣り合う壁パネル１０，２０の上端部間に壁パネル（小壁パネル）３０を設ける方法等が考えられる。
また、開口補強板４０は合板等で形成されるが、その厚さは、開口壁パネル２ａの厚さの１/４以下であれば任意である。
また、このようなサッシ枠組込壁パネル２は工場等で予め生産される。
【００１２】
請求項１記載のサッシ枠組込壁パネル２においては、その開口部３３にサッシ枠６０が取り付けられており、かつ、前記開口補強板４０にサッシ枠６０の下枠６１が取付けられているので、工場等において、サッシ枠６０と開口壁パネル２ａ及び開口補強板４０との接合部分を覆うようにして防水テープを貼り付けることができ、さらに、この防水テープの上から、サッシ枠６０の縦枠６２，６２の外側に、ケーシング６４，６４やシャッターレール等の部品を取り付けることができる。
【００１３】
そして、前記開口補強板４０は、前記開口壁パネル２ａの表面とほぼ面一に設けられ、かつ、前記開口壁パネル２ａの厚さの１/４以下であるので、サッシ枠６０が組み込まれた壁の構築に際しては、現場において、サッシ枠組込壁パネル２が設置される基礎４の上端面（台輪）４ａの内側半分に、床部３の側端部を設置し、前記基礎４の上端面４ａの外側半分の、前記サッシ枠組込壁パネル２の開口補強板４０に対応する位置に、半土台５３ａを前記基礎４の外側の側面より内側に配置されるようにして設置し、半土台５３ａ及び床部３を基礎４に接合した後に、前記サッシ枠組込壁パネル２を、その開口補強板４０が前記半土台５３ａの外側に配置されるようにして、前記床部３および半土台５３ａ上に設置固定することができる。
したがって、現場ではサッシ枠組込壁パネル２を床部３に設置固定するだけでよいので、サッシ枠６０が組み込まれた壁を容易に構築することができる。
【００１４】
また、前記開口補強板４０は、前記開口壁パネル２ａの表面とほぼ面一に設けられているので、前記サッシ枠組込壁パネル２の前記床部３及び半土台５３ａに対する位置決めが容易である。すなわち、前記サッシ枠組込壁パネル２を、その開口補強板４０が前記半土台５３ａの外側に配置されるようにして、前記床部３および半土台５３ａ上に設置することで、床部３及び半土台５３ａに対する前記サッシ枠組込壁パネル２の位置決めを行うことができる。
【００１５】
請求項２記載のサッシ枠組込壁パネル２は、例えば図１に示すように、請求項１記載のサッシ枠組込壁パネル２において、
前記開口壁パネル２ａの表面下端部には、前記開口部３３より外側において、前記開口壁パネル２ａの下端から下方に突出する補強板１１，１２，２１，２２が設けられていることを特徴とする。
ここで、補強板１１，１２，２１，２２は合板等で構成されるが、前記開口部３３より外側において連続的に設けられるのが好ましい。
【００１６】
請求項２記載のサッシ枠組込壁パネル２においては、前記開口壁パネル２ａの表面下端部には、前記開口部３３より外側において、前記開口壁パネル２ａの下端から下方に突出する補強板１１，１２，２１，２２が設けられているので、外壁仕上材７１を前記開口壁パネル２ａの表面及び前記補強板１１，１２，２１，２２を覆うようにして設けることで、外壁仕上材７１を、その下端部を前記開口壁パネル２ａの下端部から下方に突出させるとともに、この下端部をその裏側から前記補強板１１，１２，２１，２２で補強した状態で、開口壁パネル２ａに取り付けることができる。
【００１７】
そして、この状態では、このようなサッシ枠組込壁パネル２を搬送したり取り扱う際に、外壁仕上材７１の下端部にある程度の外力が作用しても、この外力に耐えることができるので、外壁仕上材７１を、その下端部が開口壁パネル２ａの下端部から下方に突出させて開口壁パネル２ａに予め取り付けた状態で、サッシ枠６０が組み込まれた壁を構築することができる。そして、この下端部は、サッシ枠組込壁パネル２が設置される床部３の端面の少なくとも一部を覆うので、現場で外壁仕上材７１を設ける作業を省略または簡略化できる。
【００１８】
請求項３記載のサッシ枠組込壁パネル２は、例えば図１に示すように、請求項２記載のサッシ枠組込壁パネル２において、
前記開口補強板４０は、前記補強板（開口補強板取付け部）１１，２１の裏面に取り付けられていることを特徴とする。
【００１９】
請求項３記載のサッシ枠組込壁パネル２においては、前記開口補強板４０は、前記補強板１１，２１の裏面に取り付けられているので、前記開口補強板４０を容易かつ確実に開口壁パネル２ａの表面とほぼ面一に設けることができる。
【００２０】
請求項４記載のサッシ枠組込壁パネル２の設置構造は、例えば図２に示すように、請求項１〜３のいずれか記載のサッシ枠組込壁パネル２を基礎４上に設置する設置構造であって、
前記基礎４の上端面４ａの内側半分には、床部３の側端部が設置されており、前記基礎４の上端面４ａの外側半分には、前記サッシ枠組込壁パネル２の開口補強板４０に対応する位置に、半土台５３ａが基礎４の外側の側面より内側に配置されるようにして設置され、
前記サッシ枠組込壁パネル２は、その開口補強板４０が前記半土台５３ａの外側に配置されるようにして、前記床部３および半土台５３ａ上に設置されていることを特徴とする。
【００２１】
ここで、前記床部３としては、例えば框材を矩形枠状に組み付け、その内側に補強桟材を縦、横もしくは縦横に組み付けてなる枠体の表面に合板等の面材を取り付けることで構成される床パネル５０・・・を用いることができる。
また、前記基礎４には、アンカーボルト５８を該基礎４の上端面から突出するようにして埋設する。そして、前記床部３の側端部及び半土台５３ａの、前記アンカーボルト５８に対応する位置に、前記床部３の側端部及び半土台５３ａの厚さ全体を切り欠いてなる切欠部を形成し、この切欠部からなる貫通穴に前記アンカーボルト５８を挿通して固定することで、前記床部３及び半土台５３ａを基礎４に接合する。
【００２２】
請求項４記載のサッシ枠組込壁パネル２の設置構造においては、半土台５３ａが基礎４の外側の側面より内側に配置されるようにして設置されており、前記サッシ枠組込壁パネル２は、その開口補強板４０が前記半土台５３ａの外側に配置されるようにして、前記床部３および半土台５３ａ上に設置されている、すなわち、前記サッシ枠組込壁パネル２が、前記開口補強板４０を取り付けたまま設置されている。そして前記開口補強板４０にはサッシ枠６０の下枠６１が取り付けられているので、サッシ枠６０と開口壁パネル２ａ及び開口補強板４０との接合部分を覆うようにして防水テープを貼り付けることができ、さらに、この防水テープの上からサッシ枠６０の縦枠６２，６２の外側に、ケーシング６４，６４やシャッターレール等の部品を取り付けることができる。
【００２３】
すなわち、サッシ枠が組み込まれた壁を構築するに際して、現場では前記サッシ枠組込壁パネル２を床部３に設置固定するだけでよいことになるので、サッシ枠が組み込まれた壁を容易に構築することができる。
【００２４】
請求項５記載のサッシ枠組込壁パネル２の設置構造は、請求項４記載のサッシ枠組込壁パネル２の設置構造であって、
前記開口補強板４０の下端面と、前記基礎４の上端面との間には、所定の大きさのクリアランス４３が設けられていることを特徴とする。
【００２５】
請求項５記載のサッシ枠組込壁パネル２の設置構造においては、前記開口補強板４０の下端面と、前記基礎４の上端面との間には、所定の大きさのクリアランス４３が設けられているので、サッシ枠組込壁パネル２を床部３に設置した場合に基礎４から前記開口補強板４０に力が作用することがなく、したがって、開口補強板４０が痛んだり、サッシ枠組込壁パネル２からはずれたりすることがない。
【００２６】
【発明の実施の形態】
以下に、本発明の実施の形態を図に基づいて説明する。
本実施の形態においては、図２に示すように、建物１を構成する壁にサッシ枠を組み込むに際して、本発明に係るサッシ枠組込壁パネル２と床部３との接合構造を適用している。ここで、図２は、サッシ枠組込壁パネル２を床部３に設置する態様を示した斜視図である。
建物１は、パネル工法により構築されるプレファブ住宅である。すなわち、建物１の壁や床、屋根といった構成要素を予め工場にてパネル化しておき、施工現場でこれらのパネルを組み立てることにより、建物１が構築される。
【００２７】
まず、図１〜図５に基づいて、サッシ枠組込壁パネル２及び床部３の構成について説明する。ここで、図１はサッシ枠組込壁パネル２の構成を示した斜視図であり、図３は、サッシ枠組込壁パネル２を構成する開口補強板４０及びその周辺の構成を示した正面図であり、図４は開口補強板４０の一部を拡大して示した斜視図であり、図５はサッシ枠組込壁パネル２と床部３との接合構造を示した縦断面図である。
【００２８】
サッシ枠組込壁パネル２は、工場等で予め生産され、図１に示すように、開口壁パネル２ａ、補強板１２，２２、開口補強板４０、サッシ枠６０等から構成されている。
開口壁パネル２ａは、離間して配置された袖パネル１０，２０の上端部間に小壁パネル３０を設けることで形成されており、開口部３３を備えている。そして、この開口部は開口壁パネル２ａの下端に開口している。
ここで、袖パネル１０，２０及び小壁パネル３０は、框材を矩形枠状に組み付け、その内側に補強桟材を縦、横もしくは縦横に組み付けてなる枠体の表裏両面に合板等の面材を取り付けることで構成されている。
【００２９】
袖パネル１０の表面下端部には、補強板１２が袖パネル１０の一方の側端部から他方の側端部にわたって設けられている。そして、袖パネル１０の開口部３３を向く側端面には桁材３１が設けられている。
同様に、袖パネル２０の表面下端部には、補強板２２が袖パネル２０の一方の側端部から他方の側端部にわたって設けられている。そして、袖パネル２０の開口部３３を向く側端面には桁材３２が設けられている。
【００３０】
補強板１２は、袖パネル１０の下端から下方に延出している。なお、補強板１２のうち、開口部３３に隣接している部分は、開口補強板取付け部１１となっている。
そして、開口補強板取付け部１１は、開口補強板取付け部１１から袖パネル１０の框材１０ａに釘１１ａ，１１ａ，１１ａを打ち込むことにより、袖パネル１０に固定されており、また、図示は省略するが補強板１２も、補強板１２から袖パネル１０に釘を複数打ち込むことで袖パネル１０に固定されている。
【００３１】
補強板２２も同様の構成となっている。すなわち、補強板２２は、袖パネル２０の下端から下方に延出している。なお、補強板２２のうち、開口部３３に隣接している部分は、開口補強板取付け部２１となっている。
そして、開口補強板取付け部２１は、開口補強板取付け部２１から袖パネル２０の框材２０ａに釘２１ａ，２１ａ，２１ａを打ち込むことにより、袖パネル２０に固定されており、また、図示は省略するが補強板２２も、補強板２２から袖パネル２０に釘を複数打ち込むことで袖パネル２０に固定されている。
【００３２】
開口補強板４０は、図１及び図３に示すように、その両側端部において開口補強板取付け部１１，２１の延出部分の裏面に接着剤等で接合されている。
開口補強板４０は、開口壁パネル２ａの下方に突出しているとともに、その上端面には凹部４１が形成されている。そして、桁材３１，３２が、該桁材３１，３２の開口部３３に向く側面と凹部４１の両側面４１ａ，４１ａとがほぼ面一になるようにして、開口補強板４０に接合されている。
【００３３】
そして、補強板４０の厚さは、開口壁パネル２ａの厚さの１／４以下となっており、開口補強板４０の高さは、サッシ枠組込壁パネル２を床部３に設置した際に、開口補強板４０の下端面４２と後述する台輪４ａとの間に所定の大きさのクリアランス４３が設けられるように設定されている。
【００３４】
また、開口補強板４０は、以下の方法により形成されている。
すなわち、図４に示すように、開口補強板４０は、２つの長尺板材４５，４６の側面どうしを接着剤等で接合することで形成されている。
これら長尺板材４５，４６は、複数の板材４５ａ・・・，４５ｂ・・・の端面どうしを接合することで形成されており、長尺部材４５の前記板材４５ａ・・・どうしの接合部分４５ｂ・・・は、長尺部材４６の前記板材４６ａ・・・どうしの接合部分４６ｂ・・・から、開口補強板４０の長さ方向に所定の間隔だけずれた位置に配置されている。
【００３５】
そして、図１及び図５に示すように、サッシ枠６０が、開口壁パネル２ａの表面から開口壁パネルの厚さ方向に突出し、かつその下枠６１が袖パネル１０，２０の下端面より下側に突出するようにして開口部３３に取り付けられている。
ここで、サッシ枠の６０の下枠６１が袖パネル１０，２０の下端面より下側に突出しているのは、サッシ枠組込壁パネル２を床部３に設置した際に下枠６１の内側の面が床部３の表面と面一になるようにするためである。
【００３６】
ここで、サッシ枠６０は、上枠６３と下枠６１とこれらを連結する縦枠６２，６２とからなる矩形枠状のものであって、上枠６３は小壁パネル３０に取り付けられ、縦枠６２，６２はそれぞれ袖パネル１０，２０に取り付けられている。そして、サッシ枠６０の下枠６１は、この突出部分が開口補強板４０の凹部４１に嵌入するようにして、開口補強板４０に取り付けられている。
なお、取り付けにはビス等が用いられている。
【００３７】
そして、図示は省略するが、サッシ枠６０と袖パネル１０，２０、小壁パネル３０及び開口補強板４０との接合部分には、該接合部分を覆うようにして防水テープが貼りつけられている。そして、この防水テープ上から、長尺な部品であるケーシング６４，６４が、縦枠６２，６２の外側に沿って設けられている。
このケーシング６４，６４は、後述する外壁仕上材７０と縦枠６２，６２との間に生じる隙間を充填するとともに、サッシ枠６０の縦枠６２，６２の突出部分を補強するために設けられるものである。
【００３８】
さらに、図５に示すように、袖パネル１０，２０の、ケーシング６４，６４が設けられていない表面および小壁パネル３０の表面には、これら表面を覆うようにして、桟材（胴縁）７０・・・を介して外壁仕上材７１が設けられている。この外壁仕上材７１は、袖パネル１０，２０の下端から突出しており、この突出部分は、開口補強板取付け部１１，２１及び補強板１２，２２の下端よりも上方に配置されている。
なお、サッシ枠が組み込まれた壁に、開口部を開閉するシャッターを設ける場合は、前記ケーシング６４，６４の代わりに、シャッターを案内するシャッターレールが設けられるとともに、サッシ枠６０の上枠６３の上方に、シャッターが収まっているシャッターケースが設けられる。
【００３９】
サッシ枠組込壁パネル２が設置される床部３は、図１及び図５に示すように、複数の床パネル５０・・・で構成されている。
ここで、床パネル５０は、框材を矩形枠状に組み付け、その内側に補強桟材を縦、横もしくは縦横に組み付けてなる枠体５１の表面に合板等の面材５２を取り付けることで構成されている。
【００４０】
つぎに、サッシ枠組込壁パネル２を基礎４上に設置する方法について、図２及び図５に基づいて説明する。
まず、基礎４に床部３及び半土台５３，５３ａを設置する。
すなわち、床部３を構成する床パネル５０・・・の側端部を、基礎４の上端面を構成する台輪４ａの内側部分に設置する。ここで、台輪４ａは開口部を有する金属板である。
そして、台輪４ａの外側半分に、半土台５３，５３を設置する。ここで、前記サッシ枠組込壁パネル２の開口補強板４０に対応する位置には、半土台５３の代わりに半土台５３ａを設置する。一方、半土台５３，５３及び半土台５３ａを床パネル５０・・・の側端面に接着剤等で接合する。
【００４１】
ここで、半土台５３ａは、その高さが床パネル５０の高さよりも低くなっており、サッシ枠組込壁パネル２を床部３に設置した際に、半土台５３ａの上端面が開口補強板４０の凹部４１の底面４１ｂとほぼ面一となるように設定されている。これは、サッシ枠組込壁パネル２を床部３に設置した際に、サッシ枠６０の下枠６１が、半土台５３ａの上端面に載置されるためである。
また、半土台５３ａの外側の側面は、基礎４の外側の側面よりも内側に配置されているが、この外側の側面と基礎４の外側の側面との間隔は、サッシ枠組込壁パネル２を床部３に設置した際に、開口補強板４０と半土台５３ａとの間に所定の大きさのクリアランス４４が設けられるように設定されている。
【００４２】
したがって、床パネル５０の製造時における寸法誤差や床パネル５０の設置時における設置誤差等の原因により、床パネル５０・・・の側端部が台輪４ａの外側に多少伸びた場合でも、この伸びた分の誤差をクリアランス４４で吸収させることができるようになっている。
【００４３】
また、基礎４には、半土台５３に対応する位置に、複数の壁固定用アンカーボルトが該基礎４の上端面から突出するようにして埋設されている。
一方、床パネル５０・・・及び半土台５３の、壁固定用アンカーボルトに対応する位置に、床パネル５０・・・及び半土台５３の厚さ全体を切り欠いてなる切欠部が形成されており、床部３と半土台５３とを接合した際に、壁固定用アンカーボルトが貫通するボルト穴が形成されるようになっている。そして、床パネル５０・・・及び半土台５３を基礎４に設置する際には、前記ボルト穴に壁固定用アンカーボルトが通される。なお、壁固定用アンカーボルトの上端は、床パネル５０・・・及び半土台５３の上端面よりも上方に突出するようになっている。
【００４４】
また、基礎４には、半土台５３ａに対応する位置に、アンカーボルト５８が該基礎４の上端面から突出するようにして埋設されている。
一方、床パネル５０・・・及び半土台５３ａの、アンカーボルト５８に対応する位置に、床パネル５０・・・及び半土台５３ａの厚さ全体を切り欠いてなる切欠部が形成されており、床パネル５０・・・と半土台５３ａとを接合した際に、床パネル５０・・・と半土台５３ａとの接合部分の上端部に、凹部５６が形成され、さらに、この凹部５６の底面から床パネル５０・・・と半土台５３ａとの接合部分の下端部に連通するボルト穴５７が形成されるようになっている。そして、ボルト穴５７にアンカーボルト５８を通すようにして、半土台５３ａ及び床パネル５０・・・を基礎４に設置する。なお、アンカーボルト５８の上端は、半土台５３ａの上端面よりも下方に配置するようになっている。
【００４５】
そして、凹部５６内部に突出したアンカーボルト５８に座金５４を外挿し、ナット５５でアンカーボルト５８を締結して、床部３を基礎４に接合する。
一方、袖パネル１０，２０の下端部を構成する框材に、前記アンカーボルトが挿通される貫通穴を形成しておくとともに、袖パネル１０，２０の裏面下端部に、ナット等を挿入し締め付け操作するための穴を形成しておく。
【００４６】
次いで、サッシ枠組込壁パネル２を、床パネル５０・・・の上面縁部に、開口補強板４０が半土台５３ａの外側に配置されるように、かつ、開口補強板４０の表面と前記基礎４の外側の側面とがほぼ面一なるようにして設置する。ここで、設置の際に、前記壁固定用アンカーボルトを前記貫通穴に挿通させる。
そして、この状態で、前記穴から座金及びナットを挿入し、袖パネル１０，２０内部に突出した壁固定用アンカーボルトに前記座金を外挿した後、前記ナットでアンカーボルトを締結することで、サッシ枠組込壁パネル２と床部３とを接合する。
【００４７】
また、この状態では、外壁仕上材７１の下端部が、半土台５３の外側の側面の一部を覆っているので、半土台５３の外側の側面のうち、外壁仕上材７１で覆われていない部分に幕板等を設ける。
【００４８】
以上のように、本実施の形態によれば、その開口部３３にサッシ枠６０が取り付けられており、かつ、前記開口補強板４０にサッシ枠６０の下枠６１が取付けられているので、工場等において、サッシ枠６０と開口壁パネル２ａ及び開口補強板４０との接合部分を覆うようにして防水テープを貼り付けることができ、さらに、この防水テープの上から、サッシ枠６０の縦枠６２，６２の外側に、ケーシング６４，６４やシャッターレール等の部品を取り付けることができる。
【００４９】
また、袖パネル１０，２０の表面下端部に、袖パネル１０，２０の下端から下方に突出する補強板１１，１２，２１，２２が設けられており、外壁仕上材７１が、開口壁パネル２ａの表面及び補強板１１，１２，２１，２２を覆うようにして設けられているので、外壁仕上材７１を、その下端部を開口壁パネル４０の下端部から下方に突出させるとともに、この下端部をその裏側から補強板１１，１２，２１，２２で補強した状態で、開口壁パネル４０に取り付けることができる。
【００５０】
そして、この状態では、サッシ枠組込壁パネル２を搬送したり取り扱う際に、外壁仕上材７１の下端部にある程度の外力が作用しても、この外力に耐えることができるので、外壁仕上材７０を、その下端部が開口壁パネル２ａの下端部から下方に突出させて開口壁パネル２ａに予め取り付けた状態で、サッシ枠６０が組み込まれた壁を構築することができる。
【００５１】
そして、この下端部は、サッシ枠組込壁パネル２を基礎上に設置した際に、半土台５３，５３の端面の一部を覆うので、現場で外壁仕上材を設ける作業を簡略化できる。
また、開口補強板４０は、補強板の開口補強板取付け部１１，２１の裏面に取り付けられているので、開口補強板４０を容易かつ確実に開口壁パネル２ａの表面とほぼ面一に設けることができる。
【００５２】
そして、現場においては、サッシ枠組込壁パネル２が設置される基礎４の台輪４ａの内側半分に、床パネル５０・・・の側端部を設置し、台輪４ａの外側半分の、サッシ枠組込壁パネル２の開口補強板４０に対応する位置に、半土台５３ａを基礎４の外側の側面より内側に配置されるようにして設置し、半土台５３ａ及び床パネル５０・・・を基礎に接合した後に、サッシ枠組込壁パネル２を、開口補強板４０が半土台５３ａの外側に配置されるようにして、前記床パネル５０・・・および半土台５３ａ上に設置固定することで、サッシ枠６０が組み込まれた壁を構築することができる。
したがって、現場ではサッシ枠組込壁パネル２を床パネル５０・・・に設置固定するだけでよいので、サッシ枠６０が組み込まれた壁を容易に構築することができる。
【００５３】
ここで、前記開口補強板４０は、開口壁パネル２ａの表面とほぼ面一に設けられているので、サッシ枠組込壁パネル２を、開口補強板４０が半土台５３ａの外側に配置されるようにして、床パネル５０・・・および半土台５３ａ上に設置することで、床パネル５０・・・及び半土台５３ａに対するサッシ枠組込壁パネル２の位置決めを行うことができる。
【００５４】
また、開口補強板４０の下端面と、台輪４ａとの間には、所定の大きさのクリアランス４３が設けられているので、サッシ枠組込壁パネル２を床パネル５０・・・に設置した場合に基礎４から開口補強板４０に力が作用することがなく、したがって、開口補強板４０が痛んだり、サッシ枠組込壁パネル２からはずれたりすることがない。
【００５５】
なお、以上の実施の形態においては、開口部３３を一つ備えたサッシ枠組込壁パネル２を用いたが、本発明はこれに限定されるものではなく、開口部を複数備えたサッシ枠組込壁パネルを用いても良い。
この場合、開口壁パネルは、複数の袖パネルを離間して配置し、これら複数の袖パネルの上端部間に小壁パネルを設けることで形成される。
【００５６】
【発明の効果】
以上のように、請求項１記載の発明に係るサッシ枠組込壁パネルによれば、その開口部にサッシ枠が取り付けられており、かつ、前記開口補強板にサッシ枠の下枠が取付けられているので、工場等において、サッシ枠と開口壁パネル及び開口補強板との接合部分を覆うようにして防水テープを貼り付けることができ、さらに、この防水テープの上から、サッシ枠の縦枠の外側に、ケーシングやシャッターレール等の部品を取り付けることができる。
【００５７】
そして、サッシ枠が組み込まれた壁の構築に際しては、現場において、サッシ枠組込壁パネルが設置される基礎の上端面の内側半分に、床部の側端部を設置し、前記基礎の上端面の外側半分の、前記サッシ枠組込壁パネルの開口補強板に対応する位置に、半土台を前記基礎の外側の側面より内側に配置されるようにして設置し、半土台及び床部を基礎に接合した後に、前記サッシ枠組込壁パネルを、その開口補強板が前記半土台の外側に配置されるようにして、前記床部および半土台上に設置固定することができる。
したがって、現場ではサッシ枠組込壁パネルを床部に設置固定するだけでよいので、サッシ枠が組み込まれた壁を容易に構築することができる。
【００５８】
また、前記開口補強板は、前記開口壁パネルの表面とほぼ面一に設けられているので、前記サッシ枠組込壁パネルの前記床部及び半土台に対する位置決めが容易である。すなわち、前記サッシ枠組込壁パネルを、その開口補強板が前記半土台の外側に配置されるようにして、前記床部および半土台上に設置することで、床部及び半土台に対する前記サッシ枠組込壁パネルの位置決めを行うことができる。
【００５９】
請求項２記載の発明に係るサッシ枠組込壁パネルによれば、請求項１と同様の効果を得ることができるのは勿論のこと、外壁仕上材を、その下端部を前記開口壁パネルの下端部から下方に突出させるとともに、この下端部をその裏側から前記補強板で補強した状態で、開口壁パネルに取り付けることができる。
【００６０】
すなわち、外壁仕上材を、その下端部が開口壁パネルの下端部から下方に突出させて開口壁パネルに予め取り付けた状態で、サッシ枠が組み込まれた壁を構築することができる。そして、この下端部は、サッシ枠組込壁パネルが設置される床部の端面の少なくとも一部を覆うので、現場で外壁仕上材を設ける作業を省略または簡略化できる。
【００６１】
請求項３記載の発明に係るサッシ枠組込壁パネルによれば、請求項２と同様の効果を得ることができるのは勿論のこと、前記開口補強板は、前記補強板の裏面に取り付けられているので、前記開口補強板を容易かつ確実に開口壁パネルの表面とほぼ面一に設けることができる。
【００６２】
請求項４記載の発明に係るサッシ枠組込壁パネルの設置構造によれば、前記サッシ枠組込壁パネルが、前記開口補強板を取り付けたまま設置されている。そして、前記開口補強板にはサッシ枠の下枠が取り付けられているので、前記サッシ枠と前記開口壁パネル及び開口補強板との接合部分を覆うようにして防水テープを貼り付けることができ、さらに、この防水テープ上から、サッシ枠の縦枠の外側にケーシングやシャッターレール等の部品を取り付けることができる。
すなわち、サッシ枠が組み込まれた壁を構築するに際して、現場では前記サッシ枠組込壁パネルを床部に設置固定するだけでよいことになるので、サッシ枠が組み込まれた壁を容易に構築することができる。
【００６３】
請求項５記載の発明に係るサッシ枠組込壁パネルの設置構造によれば、請求項４と同様の効果を得ることができるのは勿論のこと、前記開口補強板の下端面と、前記基礎の上端面との間には、所定の大きさのクリアランスが設けられているので、サッシ枠組込壁パネルを床部に設置した場合に基礎から前記開口補強板に力が作用することがなく、したがって、開口補強板が痛んだり、サッシ枠組込壁パネルからはずれたりすることがない。
【図面の簡単な説明】
【図１】本発明を適用した一例としてのサッシ枠組込壁パネル２の構成を示した斜視図である。
【図２】同、サッシ枠組込壁パネルを床部に設置する態様を示した斜視図である。
【図３】サッシ枠組込壁パネルを構成する開口補強板及び補強板の正面図である。
【図４】開口補強板の一部を拡大して示した斜視図である。
【図５】サッシ枠組込壁パネルと床部との接合構造を示した縦断面図である。
【符号の説明】
２      サッシ枠組込壁パネル
２ａ    開口壁パネル
３      床部
４      基礎
４ａ    台輪（基礎の上端面）
１２，２２    補強板
３３    開口部
４０    開口補強板
４３    クリアランス
５３ａ  半土台
６０    サッシ枠
６１    下枠
【図１】
0004191864.tif 000002
【図２】
0004191864.tif 000003
【図３】
0004191864.tif 000004
【図４】
0004191864.tif 000005
【図５】
0004191864.tif 000006